(57)【要約】【課題】本発明は和紙のみによる提灯や箱などの作成を実現可能とした和紙製品及びその和紙製品の製造方法を提供することを目的とするものである。【解決手段】紙漉きにより製造された和紙１を所定の形状に裁断し、裁断した和紙１を組み立てて和紙製の骨組みを形成し、更に、骨組みに和紙１Ａを貼り合わせることによって和紙製品が作成される。【選択図】図２
2011249288.tif 000002
【特許請求の範囲】
【請求項１】
紙漉きにより製造された和紙を所定の形状に裁断し、裁断した和紙を組み立てて和紙製の骨組みを形成し、更に、骨組みに和紙を貼り合わせることによって形成された
和紙製品。
【請求項２】
繊維が入らない所定領域が形成された簀面を用いた紙漉きにより製造された和紙を組み立てて和紙製の骨組みを形成し、更に、骨組みに和紙を貼り合わせることによって形成された
和紙製品。
【請求項３】
紙漉きにより和紙を製造する工程と、
前記紙漉きにより製造した和紙を所定の形状に裁断し、裁断した和紙を組み立てて和紙製の骨組みを形成する工程と、
前記骨組みに和紙を貼り合わせる工程とを備える
和紙製品の製造方法。
【請求項４】
繊維が入らない所定領域が形成された簀面を用いて紙漉きを行うことで、所定の形状をなす和紙を製造する工程と、
所定の形状をなす前記和紙を組み立てて和紙製の骨組みを形成する工程と、
前記骨組みに和紙を貼り合わせる工程とを備える
和紙製品の製造方法。
【発明の詳細な説明】
【技術分野】
【０００１】
本発明は和紙製品の製造方法及び和紙製品に関する。詳しくは和紙で提灯や照明カバー等の和紙製品及びその和紙製品の製造方法に係るものである。
【背景技術】
【０００２】
日本古来からの和紙は、例えば次のような工程で製造されている。
（１）樹木から切り取った樹皮は白皮のみを残した状態での皮剥ぎを行い乾燥させる。
（２）乾燥させた白皮を水に浸漬して繊維を柔らかくした後にアルカリ液で煮る。この際に出る塵やアクを取り除いたものが和紙の原料となる。
（３）塵取りされた和紙の原料はたたき棒や動力臼等によって叩いて束になっている繊維を一本ずつバラバラに打解する。
（４）このようにして打解された繊維は水中に遊離分散した状態とし、網目状とされる板状の簀によって水中に遊離分散した繊維を幾度も掬うことで簀面に繊維を均一に積層させる、所謂紙漉き工法を行う。
（５）紙漉きによって得られた湿紙は簀面より取り剥がして圧搾しながら脱水した後に乾燥させて和紙が完成する。
【０００３】
このようにして製造された和紙は、証書用紙や包装紙、ラベル等に使用される他に装飾用箱や提灯、照明カバー等の張り紙として広く活用されている。
【０００４】
ここで、この種の提灯として、例えば特許文献１に記載されたものが知られている。
具体的には、特許文献１に記載された提灯は、図７に示すように、竹を割って薄い竹材を環状にした芯材１０１に和紙などの布地１０２を接着して全体として略球状の提灯形状に形成されている。
【０００５】
また、例えば旅館の各部屋に設置される照明カバーでは、木製、あるいはプラスチック製の骨材により方形状に骨組みされ、この骨組みされた骨材間に和紙が張り付けられた構成とされている。
【先行技術文献】
【特許文献】
【０００６】
【特許文献１】実開平６−５６９０５号公報
【発明の概要】
【発明が解決しようとする課題】
【０００７】
上述した特許文献１に記載された提灯では、竹を割って薄い竹材に加工するのに非常に手間が掛かると共に、これらの竹材と和紙を張り付けるのが非常に煩雑な作業となる問題がある。
【０００８】
また、旅館等の各部屋に名前が記載された照明カバーでは木材、あるいは合成樹脂材によって組み立てられた骨材に和紙を張り合わせる構造とするためにデザインが単調となる問題がある。
【０００９】
ところで、和紙は紙漉きによって所定の大きさを有する簀面上に均一な厚さの和紙の作成を行うことが要求されるものである。即ち、紙漉きの際に部分的に薄くしたり、厚くしたり、あるいは空きを設けたりするような紙漉きが行われていないのが現状である。
【００１０】
従って、和紙による製品の作成には和紙自体にいろいろな手を加えなければならず、そのために時間と手間を要することから和紙のみによる製品の作成がなされていないのが現状である。
【００１１】
本発明は、以上の点に鑑みて創案されたものであって、和紙による提灯などの製品の作成を実現可能とした和紙製品及びその和紙製品の製造方法を提供することを目的とするものである。
【課題を解決するための手段】
【００１２】
上記の目的を達成するために、本発明に係る和紙製品は、紙漉きにより製造された和紙を所定の形状に裁断し、裁断した和紙を組み立てて和紙製の骨組みを形成し、更に、骨組みに和紙を貼り合わせることによって形成される。
【００１３】
ここで、紙漉きにより製造された和紙を所定の形状に裁断し、裁断した和紙を組み立てて和紙製の骨組みを形成することによって製品のデザインを幅広く選択することが可能となる。
【００１４】
また、上記の目的を達成するために、本発明に係る和紙製品は、繊維が入らない所定領域が形成された簀面を用いた紙漉きにより製造された和紙を組み立てて和紙製の骨組みを形成し、更に、骨組みに和紙を貼り合わせることによって形成される。
【００１５】
ここで、繊維が入らない所定領域が形成された簀面を用いた紙漉きにより製造された和紙を組み立てて和紙製の骨組みを形成することによって、裁断により和紙に空洞部分を設ける手間が省けて効率の良い和紙製品の組み立てが可能となる。
【００１６】
上記の目的を達成するために、本発明に係る和紙製品の製造方法は、紙漉きにより和紙を製造する工程と、前記紙漉きにより製造した和紙を所定の形状に裁断し、裁断した和紙を組み立てて和紙製の骨組みを形成する工程と、前記骨組みに和紙を貼り合わせる工程とを備える。
【００１７】
ここで、紙漉きにより製造した和紙を所定の形状に裁断し、裁断した和紙を組み立てて和紙製の骨組みを形成する工程を備えることによって、骨組みと張り合わせられる和紙とが一体的となりデザイン性の優れた和紙製品の製造が可能となる。
【００１８】
また、上記の目的を達成するために、本発明に係る和紙製品の製造方法は、繊維が入らない所定領域が形成された簀面を用いて紙漉きを行うことで、所定の形状をなす和紙を製造する工程と、所定の形状をなす前記和紙を組み立てて和紙製の骨組みを形成する工程と、前記骨組みに和紙を貼り合わせる工程とを備える。
【００１９】
ここで、繊維が入らない所定領域が形成された簀面を用いて紙漉きを行うことで裁断により和紙に空洞部分を設ける手間が省け、和紙に無駄の無い、効率の良い和紙製品の組み立てが可能となる。
【発明の効果】
【００２０】
本発明によれば、製品の骨組みを和紙によって作成することで自由な形状を選択することができ、かつ違和感のない和紙による一体的なデザイン性の優れた製品となる。更に、紙漉きの段階で、和紙を必要としない部分に空洞部分を設けることによって無駄のない効率の良い和紙による製品を製造することが可能となる。
【図面の簡単な説明】
【００２１】
【図１】本発明を適用した和紙製品の一例である提灯の骨組みの製造工程を説明するための模式図である。
【図２】本発明を適用した和紙製品の一例である提灯の完成状態を説明するための模式図である。
【図３】本発明を適用した和紙製品の一例である照明カバーの骨組みの製造工程を説明するための模式図である。
【図４】本発明を適用した和紙製品の一例である照明カバーの完成状態を説明するための模式図である。
【図５】本発明を適用した和紙製品の一例である照明カバーの紙漉きによる製造工程の一例を説明するための模式図である。
【図６】本発明を適用した和紙製品の一例の照明カバーである骨組みの他の製造工程を説明するための模式図である。
【図７】従来の提灯の一例を説明するための模式図である。
【発明を実施するための形態】
【００２２】
以下、本発明の実施の形態を図面を参酌しながら説明し、本発明の理解に供する。
【００２３】
＜実施例１＞
図１は本発明を適用した和紙製品の一例である提灯の骨組みの製造工程を説明するための模式図、図２は本発明を適用した和紙製品の一例である提灯の製造工程を説明するための模式図である。
【００２４】
ここで、紙漉きによって得られる和紙１に対して、例えば提灯を作成する場合には、提灯の最大径となる直径の寸法を計算して和紙１に円を記入する。
【００２５】
そして、和紙１に記入した円に対して、その円の内側に同心線上に提灯の骨組みとする複数の骨材２の裁断線３を記入する。そして裁断線３に沿ってハサミ等により裁断することで提灯の球形状の型に応じた複数の骨材２の作成が可能となる。
【００２６】
続いて、それぞれの骨材２を糸等によって繋いで提灯４の骨組みを組立てる。そして骨材２を囲むようにして紙漉きによって得られる和紙１Ａを骨材２に貼り合わせることで全体として略球状の提灯４の作成が可能となる。
【００２７】
次に、図３（図３（イ）は本発明を適用した和紙製品の一例である照明カバーの正面部及び背面部の骨組みの製造工程を説明するための模式図、図３（ロ）は本発明を適用した和紙製品の一例である照明カバーの両側面部及び平面部並びに底面部の骨組みの製造工程を説明するための模式図を示す。）は本発明を適用した和紙製品の一例である照明カバーの骨組みの製造工程を説明するための模式図、図４は本発明を適用した和紙製品の一例である照明カバーの完成状態を説明するための模式図である。
【００２８】
ここで、紙漉きによって得られる和紙１に対して、例えば旅館等の各部屋の名称を付した照明カバーを作成する場合には、照明カバーの正面部５、背面部６、両側面部７、平面部８、底面部９の骨材２となる型の寸法を計算して和紙１に裁断線３を記入する。
【００２９】
また、正面部５及び両側面部７には開口窓部１０を設けるべき四辺形状の裁断線３を記入る。更に平面部８及び底面部９にも各辺のみとなるように裁断線３を記入する。
【００３０】
そして、和紙１に記入した裁断線３にそってハサミ等により裁断することで照明カバーを構成する正面部５、背面部６、両側面部７、平面部８、底面部９の骨材２を作成する。
【００３１】
続いて、図４に示すように、正面部５、背面部６、両側面部７、平面部８、底面部９の骨材２を糊付けして照明カバー１３の骨組みを組立てる。更に、正面部５及び両側面部７に形成される開口窓部１０に対して内部の照明からの光が透過する薄さの和紙１Ａを貼り付け、この和紙１Ａに部屋の名前を記入することで文字が照明によって浮かび上がるような状態となる。
【００３２】
なお、正面部５、背面部６、両側面部７、平面部８、底面部９の骨材２を糊付けする場合には、それぞれのコーナー部分に接合用としての当て紙（図示せず。）によって糊付けをする、あるいは各骨材２との接合する各辺に糊代を設けることもある。
【００３３】
なお、骨材を作成する場合には、紙漉きによって骨材として型崩れのしない程度の強度を有する厚さの和紙を用意する、あるいは厚紙で作成した芯材に和紙を張り合わせて作成することもある。
また、複数枚の和紙を重ね合わせた状態で接着して裁断して型崩れのしない程度の強度を有する厚さとする。
【００３４】
本発明では、和紙だけで製品を完成させることで和紙の繊維の長さが普通の紙の繊維より数倍の長さを有するので破れ難く、かつ互いに引っ張り合う力が強いので型崩れのし難い製品を得ることが可能となる。
【００３５】
また、提灯の場合には芯材も和紙のみで作成するために提灯の骨組みの形状が自由自在に作ることができるためにいろいろなデザインの提灯の作成が可能となる。
【００３６】
また、和紙による紙製品の製造では、紙漉きの段階で和紙の厚さを調整することができることにより和紙製品の種類に応じての強度を有する和紙を得ることが可能となる。
【００３７】
＜実施例２＞
図５は本発明を適用した和紙製品の一例である照明カバーの紙漉きによる製造工程の一例を説明するための模式図、図６（図６（イ）は本発明を適用した和紙製品の一例である照明カバーの正面部及び背面部の骨組みの他の製造工程を説明するための模式図、図６（ロ）は本発明を適用した和紙製品の一例である照明カバーの両側面部及び平面部並びに底面部の骨組みの他の製造工程を説明するための模式図を示す。）は本発明を適用した和紙製品の一例の照明カバーの他の製造工程を説明するための模式図である。
【００３８】
ここで、紙漉きの段階で照明カバーを構成する各正面部５、背面部６、両側面部７、平面部８、底面部９の骨材２となる各面部のうち、正面部５、両側面部７に開口窓部１０、更に平面部８及び底面部９にも各辺のみとなるように空洞部１４を設けるために簀面１１上に繊維が入らない所定区域１２を設ける。
【００３９】
この繊維が入らない所定区域１２は、簀面１１上に繊維が入った液が入らないように囲い棒（図示せず。）を設ける、あるいはプラスチック製の囲い箱（図示せず。）を配置して繊維状の液が入らないようにする。
また、粘土を所定形状の囲い箱（図示せず。）に形成し、これをピロ包装紙によって包み込み簀面上に配置することで繊維が入らない所定区域１２を容易に設けることもできる。
【００４０】
このようにして簀面１１上に繊維が入った液が入り込まない所定区域１２を設けて紙漉きを行うことで、図６に示すように空洞状の開口窓部１０が形成した状態で和紙１を製造する。
【００４１】
そこで開口窓部１０が正面部５及び両側面部７に形成するように和紙１に裁断線３を記入する。また、平面部８及び底面部９も簀面１１上に繊維が入った液が入り込まない所定区域１２を設けて紙漉きを行うことで各辺のみとなるように空洞部１４が形成された状態となる。
【００４２】
続いて、前記図４において詳述したように、正面部５、背面部６、両側面部７、平面部８、底面部９の骨材２を糊付けして照明カバー１３を組立てる。更に、正面部５及び両側面部７に形成される開口窓部１０に対して内部の照明からの光が透過する薄さの和紙１Ａを貼り付け、この和紙１Ａに部屋の名前を記入することで文字が照明によって浮かび上がるような状態となる。
【００４３】
なお、正面部５、背面部６、両側面部７、平面部８、底面部９の骨材２を糊付けする場合には、それぞれのコーナー部分に接合用としての当て紙（図示せず。）によって糊付けをする、あるいは各骨材２との接合する各辺に糊代を設けることもある。
【００４４】
なお、骨材を作成する場合には、紙漉きによって骨材として型崩れのしない程度の強度を有する厚さの和紙を用意する、あるいは厚紙で作成した芯材に和紙を張り合わせて作成することもある。
また、複数枚の和紙を重ね合わせた状態で接着して裁断して型崩れのしない程度の強度を有する厚さとする。
【００４５】
なお、本実施例における各面部を接続する際に使用する糊は、和紙同志を自然な状態で接着させるために米を主体とした糊成分とすることが望ましい。
【００４６】
具体的には、米をおかゆ風に炊き込み、この炊き上げた米に和紙を粉にした物を加えてスリコギ等によって米粒をつぶしながら混ぜ合せて糊状とする。
【００４７】
本発明では、照明カバーように開口窓部を必要とする和紙製品の場合には、紙漉きの段階で例えば囲い箱を用いて空洞部分を設けることによって空洞部分を裁断する手間が省けると共に無駄のない和紙による製品を製造することが可能となる。
【００４８】
また、紙漉きの段階でいろいろな形状の囲い箱を用いることによってデザイン性の優れた開口窓部を有する照明カバーの組立てが可能となる。
【符号の説明】
【００４９】
１      和紙
２      骨材
３      裁断線
４      提灯
５      正面部
６      背面部
７      両側面部
８      平面部
９      底面部
１０    開口窓部
１１    簀面
１２    所定区域
１３    照明カバー
１４    空洞部
【図１】
2011249288.tif 000003
【図２】
2011249288.tif 000004
【図３】
2011249288.tif 000005
【図４】
2011249288.tif 000006
【図５】
2011249288.tif 000007
【図６】
2011249288.tif 000008
【図７】
2011249288.tif 000009
【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
紙漉きにより製造された複数枚の和紙を重ね合わせた状態で接着して所定の形状に裁断し、裁断した和紙を組み立てて所定の開口領域を有する和紙製の骨組みを形成し、更に、骨組みに前記所定の開口領域を被覆する様に和紙を貼り合わせることによって形成された
和紙製品。
【請求項２】
繊維が入らない所定領域が形成された簀面を用いた紙漉きにより製造された型崩れのしない程度の強度を有する厚さであると共に、空洞部を有する形状である和紙を組み立てて所定の開口領域を有する和紙製の骨組みを形成し、更に、骨組みに前記所定の開口領域を被覆する様に和紙を貼り合わせることによって形成された
和紙製品。
【請求項３】
紙漉きにより和紙を製造する工程と、
前記紙漉きにより製造した複数枚の和紙を重ね合わせた状態で接着して所定の形状に裁断し、裁断した和紙を組み立てて所定の開口領域を有する和紙製の骨組みを形成する工程と、
前記骨組みに前記所定の開口領域を被覆する様に和紙を貼り合わせる工程とを備える
和紙製品の製造方法。
【請求項４】
繊維が入らない所定領域が形成された簀面を用いて紙漉きを行うことで、型崩れのしない程度の強度を有する厚さであると共に、空洞部を有する形状である所定の形状をなす和紙を製造する工程と、
所定の形状をなす前記和紙を組み立てて所定の開口領域を有する和紙製の骨組みを形成する工程と、
前記骨組みに前記所定の開口領域を被覆する様に和紙を貼り合わせる工程とを備える
和紙製品の製造方法。
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
紙漉きにより製造された複数枚の和紙を重ね合わせた状態で接着して所定の形状に裁断し、裁断した和紙を組み立てて所定の開口領域を有する和紙製の骨組みを形成し、更に、骨組みに前記所定の開口領域を被覆する様に和紙を貼り合わせることによって形成された
提灯又は照明カバー。
【請求項２】
繊維が入らない所定領域が形成された簀面を用いた紙漉きにより製造された型崩れのしない程度の強度を有する厚さであると共に、空洞部を有する形状である和紙を組み立てて所定の開口領域を有する和紙製の骨組みを形成し、更に、骨組みに前記所定の開口領域を被覆する様に和紙を貼り合わせることによって形成された
提灯又は照明カバー。
【請求項３】
紙漉きにより和紙を製造する工程と、
前記紙漉きにより製造した複数枚の和紙を重ね合わせた状態で接着して所定の形状に裁断し、裁断した和紙を組み立てて所定の開口領域を有する和紙製の骨組みを形成する工程と、
前記骨組みに前記所定の開口領域を被覆する様に和紙を貼り合わせる工程とを備える
提灯又は照明カバーの製造方法。
【請求項４】
繊維が入らない所定領域が形成された簀面を用いて紙漉きを行うことで、型崩れのしない程度の強度を有する厚さであると共に、空洞部を有する形状である所定の形状をなす和紙を製造する工程と、
所定の形状をなす前記和紙を組み立てて所定の開口領域を有する和紙製の骨組みを形成する工程と、
前記骨組みに前記所定の開口領域を被覆する様に和紙を貼り合わせる工程とを備える
提灯又は照明カバーの製造方法。
【手続補正３】
【補正対象書類名】明細書
【補正対象項目名】０００１
【補正方法】変更
【補正の内容】
【０００１】
本発明は提灯又は照明カバーの製造方法及び提灯又は照明カバーに関する。詳しくは和紙で製造された提灯や照明カバー等の和紙製品及びその和紙製品の製造方法に係るものである。
【手続補正４】
【補正対象書類名】明細書
【補正対象項目名】００１１
【補正方法】変更
【補正の内容】
【００１１】
本発明は、以上の点に鑑みて創案されたものであって、和紙による提灯などの製品の作成を実現可能とした提灯又は照明カバー及び提灯又は照明カバーの製造方法を提供することを目的とするものである。